(57)【特許請求の範囲】
【請求項１】
車両前後方向及び上下方向に延在するドアインナパネルと、
前記ドアインナパネルの車幅方向外側に配置されると共に、該ドアインナパネルに接合されることによってスライドドア本体部を形成しかつ該ドアインナパネルとの間にドアガラスを収容する空間を形成するドアアウタパネルと、
車両前後方向及び上下方向に延在する一般部と、この一般部の前端部から車幅方向内側に膨出するように形成されかつ前記ドアインナパネルの前端部の車幅方向内側に配置された膨出部とを備え、前記ドアインナパネルの車幅方向内側の面に取付けられるドアトリムと、
前記ドアトリムにおける前記膨出部の車幅方向外側に少なくとも一部が配置された機能部品と、
を備えた車両のスライドドア構造。
【請求項２】
前記機能部品が、前記ドアインナパネルに固定されている請求項１記載の車両のスライドドア構造。
【請求項３】
前記機能部品の一部が前記膨出部と前記ドアインナパネルとの間に配置されており、
前記機能部品の他の一部が前記ドアインナパネルと前記ドアアウタパネルとの間に配置されている請求項１又は請求項２記載のスライドドア構造。
【請求項４】
前記機能部品は、前記ドアガラスを開閉させるウインドレギュレータとされると共に、該ウインドレギュレータは前記スライドドア本体部の前端部に配置され、かつ該ウインドレギュレータに設けられたコネクタ部における電源供給用のコネクタとの接続部が前記ドアインナパネルと前記ドアトリムにおける前記膨出部との間に配置された請求項１〜請求項３のいずれか１項に記載の車両のスライドドア構造。
【請求項５】
前記膨出部には、車幅方向外側へ凹状となるように形成された凹部が設けられていると共に、この凹部に前記スライドドア本体部に設けられたドアロック手段を操作するためのインサイドハンドルが設けられた請求項１〜請求項４のいずれか１項に記載の車両のスライドドア構造。
【請求項６】
前記ウインドレギュレータはモータ及び該モータの回転数を減速するリダクションを備え、かつ前記ウインドレギュレータの前記コネクタ部、前記モータ及び前記リダクションが車両前方側から後方側に向けてこの順で配置された請求項４記載の車両のスライドドア構造。
【請求項７】
前記ドアトリムにおける前記ウインドレギュレータと対向する部位には、防振材が設けられている請求項４又は請求項６記載の車両のスライドドア構造。
【請求項８】
前記ドアインナパネルは、車幅方向内側に凹状となるように形成された第１固定部と、前記第１固定部の車両前方側に配置されていると共に車幅方向外側に凹状となるように形成された第２固定部と、を備えており、
前記機能部品が、前記第１固定部に固定されており、
インサイドハンドルが操作力伝達手段を介して前記第２固定部に固定されている請求項１〜請求項７のいずれか１項に記載の車両のスライドドア構造。
【発明の詳細な説明】
【技術分野】
【０００１】
本発明は、車両のスライドドア構造に関する。
【背景技術】
【０００２】
従来、スライドドアを車体の側部に備えた車両が知られている（例えば、下記特許文献１等参照）。このスライドドアの内部には、ドアガラスを車両上下方向へスライド移動させるためのウインドレギュレータ等の機能部品が設けられている。
【先行技術文献】
【特許文献】
【０００３】
【特許文献１】特開２００６−３５８８１号公報
【特許文献２】特開２００２−１３７６３４号公報
【発明の概要】
【発明が解決しようとする課題】
【０００４】
しかしながら、従来の構造では、ウインドレギュレータ等の機能部品がスライドドアの車両前後方向の中間部位に配置されている（特許文献２参照）。そのため、スライドドアの中間部位の車幅方向への厚みが増加する。その結果、スライドドアを閉扉状態から開扉状態へスライド移動させるためには、このスライドドアの中間部位の厚みを考慮して、該スライドドアを車幅方向外側へリフト移動させる必要がある。換言すると、従来の構造では、スライドドアのスライド量（車両前後方向への移動量）を確保した上で、該スライドドアのリフト量（車幅方向への移動量）を抑制するという点では改善の余地があった。
【０００５】
本発明は上記事実を考慮し、スライドドアのスライド量を確保した上で、該スライドドアのリフト量を抑制することができる車両のスライドドア構造を得ることが目的である。
【課題を解決するための手段】
【０００６】
請求項１記載の本発明に係る車両のスライドドア構造は、車両前後方向及び上下方向に延在するドアインナパネルと、前記ドアインナパネルの車幅方向外側に配置されると共に、該ドアインナパネルに接合されることによってスライドドア本体部を形成しかつ該ドアインナパネルとの間にドアガラスを収容する空間を形成するドアアウタパネルと、車両前後方向及び上下方向に延在する一般部と、この一般部の前端部から車幅方向内側に膨出するように形成されかつ前記ドアインナパネルの前端部の車幅方向内側に配置された膨出部とを備え、前記ドアインナパネルの車幅方向内側の面に取付けられるドアトリムと、前記ドアトリムにおける前記膨出部の車幅方向外側に少なくとも一部が配置された機能部品と、を備えたことを特徴とする。
【０００７】
請求項１記載の本発明では、機能部品の一部がドアトリムにおける膨出部の車幅方向外側に配置されている。そのため、この機能部品の一部がスライドドアの車両前後方向の中間部位に配置された場合と比べて、スライドドアの幅（ドアアウタパネルとドアトリムにおける一般部との車幅方向の距離）の増加が抑制される。その結果、スライドドアの車幅方向外側へのリフト量を抑制しつつ、スライドドアの車両前後方向へスライド量を確保することが可能となる。
請求項２記載の本発明に係る車両のスライドドア構造は、請求項１記載の車両のスライドドア構造において、前記機能部品が、前記ドアインナパネルに固定されている。
請求項３記載の本発明に係る車両のスライドドア構造は、請求項１又は請求項２記載のスライドドア構造において、前記機能部品の一部が前記膨出部と前記ドアインナパネルとの間に配置されており、前記機能部品の他の一部が前記ドアインナパネルと前記ドアアウタパネルとの間に配置されている。
【０００８】
請求項４記載の本発明に係る車両のスライドドア構造は、請求項１〜請求項３のいずれか１項に記載の車両のスライドドア構造において、前記機能部品は、前記ドアガラスを開閉させるウインドレギュレータとされると共に、該ウインドレギュレータは前記スライドドア本体部の前端部に配置され、かつ該ウインドレギュレータに設けられたコネクタ部における電源供給用のコネクタとの接続部が前記ドアインナパネルと前記ドアトリムにおける前記膨出部との間に配置されたことを特徴とする。
【０００９】
請求項４記載の本発明では、ウインドレギュレータがスライドドア本体部の前端部に配置されている。そのため、スライドドアの幅（ドアアウタパネルとドアトリムにおける一般部との車幅方向の距離）は、このウインドレギュレータの影響をより一層受け難くなる。その結果、スライドドアの幅の増加がより一層抑制される。また、本発明では、電源供給用のコネクタが接続される接続部が、ドアインナパネルとドアトリムの膨出部との間に配置されている。そのため、この接続部がドアアウタパネルとドアインナパネルとの間に配置された場合と比べて、防水カプラを用いることが不要となる。
【００１０】
請求項５記載の本発明に係る車両のスライドドア構造は、請求項１〜請求項４のいずれか１項に記載の車両のスライドドア構造において、前記膨出部には、車幅方向外側へ凹状となるように形成された凹部が設けられていると共に、この凹部に前記スライドドア本体部に設けられたドアロック手段を操作するためのインサイドハンドルが設けられたことを特徴とする。
【００１１】
請求項５記載の本発明では、インサイドハンドルがドアトリムの膨出部に形成された凹部に設けられている。換言すると、インサイドハンドルがこの凹部に収容されている。そのため、このインサイドハンドルを含めたスライドドアの前端部の幅の増加が抑制される。その結果、スライドドアの車幅方向外側へのリフト量をより一層抑制しつつ、スライドドアの車両前後方向へスライド量を確保することが可能となる。
【００１２】
請求項６記載の本発明に係る車両のスライドドア構造は、請求項４記載の車両のスライドドア構造において、前記ウインドレギュレータはモータ及び該モータの回転数を減速するリダクションを備え、かつ前記ウインドレギュレータの前記コネクタ部、前記モータ及び前記リダクションが車両前方側から後方側に向けてこの順で配置されたことを特徴とする。
【００１３】
請求項６記載の本発明では、コネクタ部に比して重量があるモータ及びリダクションがスライドドアの前後方向の中央よりに配置されている。そのため、スライドドアの車両前後方向の重量バランスの好適化が図られる。
【００１４】
請求項７記載の本発明に係る車両のスライドドア構造は、請求項４又は請求項６記載の車両のスライドドア構造において、前記ドアトリムにおける前記ウインドレギュレータと対向する部位には、防振材が設けられていることを特徴とする。
【００１５】
請求項７記載の本発明では、防振材がドアトリムの上記の部位に設けられている。そのため、キャビンに向けて侵入するウインドレギュレータの作動音がこの防振材によって吸収される。
請求項８記載の本発明に係る車両のスライドドア構造は、請求項１〜請求項７のいずれか１項に記載の車両のスライドドア構造において、前記ドアインナパネルは、車幅方向内側に凹状となるように形成された第１固定部と、前記第１固定部の車両前方側に配置されていると共に車幅方向外側に凹状となるように形成された第２固定部と、を備えており、
前記機能部品が、前記第１固定部に固定されており、インサイドハンドルが操作力伝達手段を介して前記第２固定部に固定されている。
【発明の効果】
【００１６】
請求項１、請求項２、請求項３及び請求項８記載の本発明に係る車両のスライドドア構造は、スライドドアのスライド量を確保した上で、該スライドドアのリフト量を抑制することができる、という優れた効果を有する。
【００１７】
請求項４記載の本発明に係る車両のスライドドア構造は、スライドドアのリフト量をより一層抑制することができると共に、ウインドレギュレータの単価を下げることができる、という優れた効果を有する。
【００１８】
請求項５記載の本発明に係る車両のスライドドア構造は、スライドドアのリフト量をより一層抑制することができる、という優れた効果を有する。
【００１９】
請求項６記載の本発明に係る車両のスライドドア構造は、スライドドアの車両前後方向の重量バランスの好適化を図ることができる、という優れた効果を有する。
【００２０】
請求項７記載の本発明に係る車両のスライドドア構造は、ウインドレギュレータの作動音がキャビンに侵入することを抑制することができる、という優れた効果を有する。
【図面の簡単な説明】
【００２１】
【図１】図２（Ｂ）の２−２腺に沿った拡大断面図である。
【図２】（Ａ）は本実施形態のスライドドアを備えた車両を示す斜視図であり、（Ｂ）はスライドドアが開扉状態とされた際の車両を示す斜視図である。
【発明を実施するための形態】
【００２２】
図１及び図２を用いて、本発明の実施形態に係る車両のスライドドア構造について説明する。なお、車両前後方向前方側を矢印ＦＲで示し、車幅方向外側を矢印ＯＵＴで示し、車両上下方向上側を矢印ＵＰで示す。また、以下の説明で、特記なく前後、上下の方向を用いる場合は、車両前後方向の前後、車両上下方向の上下を示すものとする。
【００２３】
図２（Ａ）に示されるように、本実施形態に係る車両のスライドドア構造１０が適用された車体１２は、スライドドア１４を開閉することにより、乗員が助手席等の前席及び２列目以降の後席に乗車することが可能とされた所謂前席スライドドアを備えている。以下、先ず車体１２について説明し、次いでスライドドア１４について説明する。
【００２４】
図２（Ｂ）に示されるように、車体１２は、車両前後方向を長手方向として延びるロッカ１６と、該ロッカ１６の前端部から車両上方側に延びるフロントピラー１８と、を備えている。また、車体１２は、フロントピラー１８の上端部から車両後方側に延びるルーフサイドレール２０と、該ルーフサイドレール２０の後端部から車両下方側に延在すると共に、下端部がロッカ１６に接続されたセンタピラー２２と、を備えている。この、ロッカ１６、フロントピラー１８、ルーフサイドレール２０及びセンタピラー２２によって、車両側面視で略矩形状のドア開口部２４が形成されている。図２（Ａ）及び（Ｂ）に示されるように、このドア開口部２４を閉止するスライドドア１４が、車幅方向外側へリフト移動すると共に、車両後方側へスライド移動することによって、開扉状態となる構成である。
【００２５】
図１に示されるように、本実施形態の要部であるスライドドア１４は、スライドドア本体部２８を形成するドアインナパネル３０及びドアアウタパネル３２と、このドアインナパネル３０とドアアウタパネル３２との間に配置されたドアガラス３４と、車両の内装意匠の一部を形成するドアトリム３６と、ドアガラス３４を電動で開閉させるためのウインドレギュレータ３８と、を備えている。以下先ず、ドアインナパネル３０について説明し、次いでドアアウタパネル３２、ドアガラス３４及びドアトリム３６についてこの順で説明し、最後にウインドレギュレータ３８について説明する。
【００２６】
（ドアインナパネル３０）
ドアインナパネル３０は、鋼板材料をプレス加工することによって形成されたプレス成形品であり、車両前後方向及び上下方向に延在することによってスライドドア本体部２８のキャビン２６側の部分を形成している。具体的には、ドアインナパネル３０は、車両前後方向に延びる基壁部４０を備えている。また、この基壁部４０の前端側には、後述するウインドレギュレータ３８が固定される第１固定部４２が車幅方向内側に凹状となるように形成されている。さらに、この第１固定部４２には、このウインドレギュレータ３８のコネクタ部７２をドアインナパネル３０のキャビン２６側へ向けて挿通させるためのコネクタ開口部４４が形成されている。また、基壁部４０の前端側かつ第１固定部４２の前方側には、インサイドハンドル４５を図示しない操作力伝達手段を介して固定するための第２固定部４６が車幅方向外側に凹状となるように形成されている。
【００２７】
また、ドアインナパネル３０は、基壁部４０（第２固定部４６）の前端部から車幅方向外側に向けて屈曲して延びる前側縦壁部４８を備えている。さらに、ドアインナパネル３０は、前側縦壁部４８の車幅方向外側の端部が車両前方側に向けて屈曲されることによって形成された前側フランジ部５０を備えている。また、ドアインナパネル３０は、基壁部４０の後端部から車幅方向外側に向けて屈曲して延びる図示しない後側縦壁部を備えている。さらに、ドアインナパネル３０は、後側縦壁部の車幅方向外側の端部が車両前方側に向けて屈曲されることによって形成された図示しない後側フランジ部を備えている。
【００２８】
（ドアアウタパネル３２）
ドアアウタパネル３２は、鋼板材料をプレス加工することによって形成されたプレス成形品であると共に、車体１２の外観意匠の一部を形成している。具体的には、ドアアウタパネル３２は、車両前後方向及び車両上下方向に緩やかに湾曲するように形成された外壁部５２を備えている。この外壁部５２の前端部及び後端部は、車幅方向内側に向けて折り返されてヘミング加工が施されることによって、ドアインナパネル３０の前側フランジ部５０及び後側フランジ部に接合されている。また、外壁部５２の図示しない下端部についても同様に、車幅方向内側に向けて折り返されてヘミング加工が施されることによって、ドアインナパネル３０の下端部に接合されている。このように、ドアアウタパネル３２がドアインナパネル３０に接合されることによって、スライドドア本体部２８が形成されている。また、ドアアウタパネル３２とドアインナパネル３０との間には、後述するドアガラス３４が収容される空間Ａが形成されている。
【００２９】
（ドアガラス３４）
図２（Ａ）に示されるように、ドアガラス３４は、略矩形平板状に形成されており、ドアガラス開口部５４を閉止している。また、図１に示されるように、このドアガラス３４は、ガラスガイド５６に沿って車両上下方向へスライド移動することが可能とされている。このドアガラス３４が、ガラスガイド５６に沿って車両下方側へスライド移動することによって、ドアアウタパネル３２とドアインナパネル３０との間に形成された空間Ａに収容される構成である。
【００３０】
（ドアトリム３６）
ドアトリム３６は、樹脂材料を用いることによって形成された射出成形部品であると共に、ドアインナパネル３０のキャビン２６側の面（基壁部４０）を覆うように設けられ、かつクリップ等を介してドアインナパネル３０に固定されている。具体的には、ドアトリム３６は、車両前後方向及び上下方向に延在する一般部５８と、この一般部５８の前端部から車幅方向内側に膨出するように形成された膨出部６０と、を備えている。また、この膨出部６０は、ドアトリム３６がドアインナパネル３０に固定された状態において、該ドアインナパネル３０の前端部のキャビン２６側に配置されている。さらに、この膨出部６０には、車幅方向外側へ凹状となるように形成された凹部６２が設けられている。また、この凹部６２には、操作力をスライドドア本体部２８に設けられた図示しないドアロック手段へ伝達するためのインサイドハンドル４５が設けられている。換言すると、インサイドハンドル４５がこの凹部６２に収容されている。さらに、ドアトリム３６におけるウインドレギュレータ３８と対抗する部位には、防振材６４が設けられている。
【００３１】
（ウインドレギュレータ３８）
機能部品としてのウインドレギュレータ３８は、スライドドア本体部２８の内部かつ該スライドドア本体部２８の前端側に設けられている。具体的には、ウインドレギュレータ３８は、モータ６６と、このモータ６６の回転数を所要の回転数に減速するリダクション６８と、このモータ６６及びリダクション６８等を収容するケース７０と、を備えている。また、ウインドレギュレータ３８は、該ウインドレギュレータ３８がドアインナパネル３０に固定された状態において、車幅方向内側に向けて突出するように形成された機能部品の一部としてのコネクタ部７２を備えている。さらに、このコネクタ部７２の車幅方向内側の端部には、電源供給用のコネクタが接続される接続部７２Ａが設けられている。この接続部７２Ａがドアインナパネル３０に形成されたコネクタ開口部４４に挿通されると共に、ケース７０がドアインナパネル３０の第１固定部４２に固定されている。その結果、ドアインナパネル３０のキャビン２６側から、電源供給用のコネクタを接続部７２Ａに接続することが可能となっている。さらに、ウインドレギュレータ３８がドアインナパネル３０に固定された状態において、コネクタ部７２、モータ６６及びリダクション６８は車両前方から後方に向けてこの順で配設されている。
【００３２】
（本実施形態の作用並びに効果）
次に、本実施形態の作用並びに効果について説明する。
【００３３】
本実施形態では、ウインドレギュレータ３８のコネクタ部７２が、ドアトリム３６における膨出部６０の車幅方向外側に配置されている。そのため、このウインドレギュレータ３８及びコネクタ部７２がスライドドアの車両前後方向の中間部位に配置された場合と比べて、スライドドア１４の幅Ｗ１（ドアアウタパネル３２とドアトリム３６における一般部５８との車幅方向の距離）の増加が抑制される。その結果、スライドドア１４の車幅方向外側へのリフト量を抑制しつつ、スライドドア１４の車両前後方向へスライド量を確保することができる。なお、２点鎖線で示された線Ｌは、車両外板面７４とスライドドア１４との間に必要なクリアランスＣを表している。このクリアランスＣは、各構成部品の公差を考慮して適宜設定されている。
【００３４】
また、本実施形態では、ウインドレギュレータ３８がスライドドア本体部２８の前端部に配置されている。そのため、スライドドアの幅Ｗ１は、このウインドレギュレータ３８の影響をより一層受け難くなる。即ち、スライドドアの幅Ｗ１の増加がより一層抑制される。その結果、スライドドア１４の車幅方向外側へのリフト量をより一層抑制しつつ、スライドドア１４の車両前後方向へスライド量を確保することができる。
【００３５】
さらに、本実施形態では、電源供給用のコネクタが接続される接続部７２Ａが、ドアインナパネル３０とドアトリム３６の膨出部６０との間に配置されている。そのため、この接続部７２Ａをドアアウタパネル３２とドアインナパネル３０との間に配置した場合と比べて、防水カプラを用いることが不要となる。その結果、本実施形態では、ウインドレギュレータ３８の単価を下げることができる。
【００３６】
また、本実施形態では、インサイドハンドル４５がドアトリム３６の膨出部６０に形成された凹部６２に収容されている。そのため、このインサイドハンドル４５を含めたスライドドア１４の前端部の幅Ｗ２の増加が抑制される。その結果、スライドドア１４の車幅方向外側へのリフト量をより一層抑制しつつ、スライドドア１４の車両前後方向へスライド量を確保することが可能となる。
【００３７】
さらに、本実施形態では、ウインドレギュレータ３８のコネクタ部７２、モータ６６及びリダクション６８が車両前方から後方に向けてこの順で配設されている。換言すると、コネクタ部７２に比して重量があるモータ６６及びリダクション６８がスライドドア１４の前後方向の中央よりに配置されている。そのため、スライドドア１４の車両前後方向の重量バランスの好適化を図ることができる。
【００３８】
また、本実施形態では、防振材６４がドアトリム３６におけるウインドレギュレータ３８と対抗する部位に設けられている。そのため、ウインドレギュレータ３８の作動音がキャビン２６に侵入することを抑制することができる。
【００３９】
なお、本実施形態では、機能部品としてのウインドレギュレータ３８をスライドドア１４の前端部に配置した例について説明してきたが、本発明はこれに限定されるものではない。例えば、ドアロック手段のロックを操作するリモコンやロッキングアクチュエータ等の他の機能部品をスライドドア１４の前端部に配置した構成としても良い。
【００４０】
また、本実施形態では、電源供給用のコネクタが接続される接続部７２Ａが、ドアインナパネル３０とドアトリム３６の膨出部６０との間に配置された例について説明してきたが、本発明はこれに限定されるものではない。例えば、接続部７２Ａをドアアウタパネル３２とドアインナパネル３０との間に配置した構成としても良い。この場合、防水カプラを適用すればよい。
【００４１】
さらに、本実施形態では、インサイドハンドル４５を収容する凹部６２をドアトリム３６に設けた例について説明してきたが、本発明はこれに限定されず、例えば、この凹部６２を設けない構成としても良い。このように、凹部６２をドアトリム３６に設けるか否かについては、インサイドハンドル４５の操作性や形状等を考慮して適宜設定すればよい。
【００４２】
また、本実施形態では、車両のスライドドア構造１０を所謂前席スライドドアに適用した例について説明してきたが、本発明はこれに限定されるものではない。例えば、乗員が２列目や３列目のシートに乗車することが可能とされた所謂後席スライドドアに本発明のスライドドア構造を適用してもよい。
【００４３】
以上、本発明の一実施形態について説明したが、本発明は、上記に限定されるものでなく、その主旨を逸脱しない範囲内において上記以外にも種々変形して実施することが可能であることは勿論である。
【符号の説明】
【００４４】
１０       スライドドア構造
２８       スライドドア本体部
３０       ドアインナパネル
３２       ドアアウタパネル
３４       ドアガラス
３６       ドアトリム
３８       ウインドレギュレータ（機能部品）
４５       インサイドハンドル
５８       一般部
６０       膨出部
６２       凹部
７２       コネクタ部（機能部品の一部）
７２Ａ     接続部
Ａ       空間
【図１】
0005817575.tif 000002
【図２】
0005817575.tif 000003